(57)【要約】【課題】  外部からの衝撃等による筐体ケースの変形等に対して、カメラモジュールのレンズ上への塵埃の侵入を防ぐことのできるカメラモジュール構造を提供することを目的とする。【解決手段】  カメラモジュール構造は、ホルダ１２の一端に外側開口部１３ａを覆うカメラウィンドウ５と一体成形にて形成したレンズバレル１３を螺入し、内部には第一カメラレンズ１５、第二カメラレンズ１６、フィルタ１４を備え、他端にはセンサ１７を内側に備える基板１８を設けることにより密閉構造を形成する。【選択図】        図４
2008283247.tif 000002
【特許請求の範囲】
【請求項１】
基板上に設けられた撮像素子と、
この撮像素子上に撮影像を結像するレンズと、
前記撮像素子を覆い、前記レンズの所定領域に対応する開口部を設けたカバー部と、
このカバー部の前記開口部の外側で前記カバー部と一体的に設けられる窓部とを備えたカメラモジュール構造。
【請求項２】
窓部は、カバー部と一体成形で形成されたことを特徴とする請求項１に記載のカメラモジュール構造。
【請求項３】
窓部は、この窓部を取り付けるカバー部の取り付け領域よりも広い面積を有し、周縁部表面に遮光部を施したことを特徴とする請求項１又は請求項２に記載のカメラモジュール構造。
【請求項４】
窓部は、レンズ機能を有することを特徴とする請求項１乃至請求項３のいずれかに記載のカメラモジュール構造。
【発明の詳細な説明】
【技術分野】
【０００１】
本発明は、カメラモジュール構造に関し、特に携帯電話機等の携帯情報端末装置に搭載されるカメラのカメラモジュール構造に関するものである。
【背景技術】
【０００２】
近年、携帯電話機等の携帯情報端末装置には静止画・動画の撮影機能が求められており、カメラモジュールを搭載することは必須となっている。そのため、カメラレンズに対する防塵性確保の観点より、カメラモジュールのレンズ空間を密閉し、外部からの塵埃の侵入を阻止することが重要な課題となっている。
【０００３】
従来、カメラモジュールの防塵構造は、カメラモジュールとカメラウィンドウ、あるいは筐体ケース間を防塵クッションにて密閉する手法が一般に用いられている（例えば、特許文献１参照）。
【０００４】
【特許文献１】特開２００４−２００９４４号公報（００１７〜００２５段、図１）
【発明の開示】
【発明が解決しようとする課題】
【０００５】
しかしながら、上記従来のカメラモジュール構造では、落下等の外部からの衝撃により筐体ケースが瞬間的に微小変形した場合や防塵クッションの経時変化により復元力が減少した場合に、防塵クッションで囲まれた密閉空間に隙間が生じ、その結果、防塵クッションを乗り越えてカメラモジュールのレンズ上へ塵埃が侵入してしまうという問題があった。
【０００６】
本発明は、上記のような問題を解決するためになされたものであり、外部からの衝撃等による筐体ケースの変形等に対して、カメラモジュールのレンズ上への塵埃の侵入を防ぐことのできるカメラモジュール構造を提供することを目的とする。
【課題を解決するための手段】
【０００７】
本発明に係るカメラモジュール構造は、基板上に設けられた撮像素子と、撮像素子上に集光する複数のレンズと、撮像素子を覆い、レンズに光を導入する開口部を設けたカバー部と、カバー部の開口部の外側でカバー部と一体化して設けられた窓部とを備えたものである。
【発明の効果】
【０００８】
本発明によれば、カメラモジュールとカメラウィンドウを一体部品とすることで、防塵クッションが不要となり、外部からの塵埃の侵入を阻止することができる。
【発明を実施するための最良の形態】
【０００９】
以下、本発明に係るカメラモジュール構造の各種実施の形態について、図面に基づいて説明する。
実施の形態１．
図１は、本実施の形態１におけるカメラモジュール構造を搭載する携帯電話機１０１の構成を示す外観斜視図である。図１（ａ）は、携帯電話機１０１の正面図であり、図１（ｂ）は、携帯電話機１０１の背面図である。
【００１０】
図１（ａ）及び図１（ｂ）において、携帯電話機１０１は、正面側筐体１には情報を入力操作する入力キー２と情報を表示する表示ウィンドウ３が設けられており、背面側筐体４には窓部としてのカメラウィンドウ５が設けられている。カメラウィンドウ５の位置は、背面側となっているが、背面側に限定するものではなく正面側に配置されていても何ら問題はない。
【００１１】
なお、本実施の形態１では、ストレート型の携帯電話機１０１を用いて説明するが、これに限るものではなく折り畳み型、スライド型、又はリボルバー型でもよい。また、携帯電話機に限定するものでもなく、携帯情報端末装置であればよい。
【００１２】
図２は、携帯電話機１０１の分解斜視図である。図２に示すように、携帯電話機１０１の正面側筐体１と背面側筐体４の内部は、フレーム６を中央にして正面方向に入力キー２を備える操作部７と表示部８、背面方向に携帯電話機を駆動させるための電池部９、基板１０、及び基板１０に接続されカメラウィンドウ５を備えたカメラモジュール５１とで構成されている。
【００１３】
図３（ａ）は、図１（ｂ）のＡ−Ａにおける矢視断面図を示し、図３（ｂ）は、図３（ａ）におけるカメラモジュール５１の断面拡大図を示す。図３（ａ）及び図３（ｂ）に示すように、カメラモジュール５１は、カメラウィンドウ５を背面側筐体４に設けられたカメラウィンドウ挿入穴４ａに挿入して両面テープ１１により、背面側筐体４に固着されている。カメラウィンドウ５は、カメラモジュール５１と一体化して形成されている。
【００１４】
図４は、カメラモジュール５１の内部構造を示す断面図である。図４に示すように、カメラモジュール５１は、カバー部としてのホルダ１２及びレンズバレル１３、フィルタ１４、第一カメラレンズ１５、第二カメラレンズ１６、撮像素子としてのセンサ１７、基板１８、フレキシブル基板１９により構成されている。
【００１５】
レンズバレル１３は、レンズバレル１３の外側開口部１３ａを覆うようにカメラウィンドウ５と一体にて成形され、カメラウィンドウ５と一体成形されたレンズバレル１３は、円筒型のホルダ１２の一端１２ａに螺入により固設されている。レンズバレル１３内には、第一カメラレンズ１５及び第二カメラレンズ１６が配設されている。ただし、カメラレンズは２枚に限られるものではない。
【００１６】
ホルダ１２内には、フィルタ１４が備えられ、ホルダ１２の他端１２ｂは、センサ１７を内側に備える基板１８で覆われている。カメラモジュール５１は、外部の撮像対象がカメラウィンドウ５からレンズバレル１３、第一カメラレンズ１５、第二カメラレンズ１６、フィルタ１４を順に通して、センサ１７で検知されるように光学特性を確保する。
【００１７】
このように、カメラモジュール５１は、レンズバレル１３、ホルダ１２、センサ１７を備える基板１８とで密閉構造を形成しているだけでなく、カメラウィンドウ５とレンズバレル１３の間も一体成形により密閉空間を形成している。携帯電話機１０１とは、フレキシブル基板１９を介して、電気的に接続されている。
【００１８】
以上のように、本実施の形態１では、カメラモジュール５１とカメラウィンドウ５を一体部品としたので、外部からカメラウィンドウの取り付け部分を通しての塵埃の侵入を阻止することができる。また、カメラモジュールとカメラウィンドウの間の防塵クッションが不要となり、薄型化を図ることができる。
【００１９】
なお、本実施の形態１では、カメラウィンドウ５とレンズバレル１３を一体成形としたがこれに限るものではない。カメラウィンドウ５とレンズバレル１３との間が密接して形成、もしくは接続されていればよい。
【００２０】
実施の形態２．
本実施の形態１のカメラモジュール構造を搭載する携帯電話機１０１においては、カメラウィンドウ５とレンズバレル１３を一体成形した場合について示したが、本実施の形態２では、レンズバレルと一体成形するカメラウィンドウに意匠を施す場合について示す。
【００２１】
図５は、本実施の形態２におけるカメラモジュール構造を搭載する携帯電話機１０２のカメラモジュール５２の構成を示す断面拡大図である。図５において、実施の形態２は、実施の形態１の携帯電話機１０１で、カメラウィンドウ５の代わりに、遮光部としての意匠部２０ａを施したカメラウィンドウ２０を備えたものである。
【００２２】
カメラウィンドウ２０は、意匠部２０ａを施す領域を確保するため表面を拡大して形成されている。レンズバレル１３と一体成形されたカメラウィンドウ２０は、カメラモジュール５２を、携帯電話機１０２の外部から背面側筐体４に設けられたカメラウィンドウ挿入穴４ａに挿入して、カメラウィンドウ２０の周縁裏面とカメラウィンドウ挿入穴４ａの周縁部４ｂの表面と両面テープ１１を介して固着されている。
【００２３】
その他の構成に関しては、実施の形態１と同様であり、相当部分には図１と同一符号を付して説明を省略する。
【００２４】
以上のように、本実施の形態２では、カメラモジュール５２と意匠部２０ａを施したカメラウィンドウ２０を一体部品としたので、外部からの塵埃の侵入を阻止することができるだけでなく、従来で生じていたカメラウィンドウの貼りずれがなくなるので、カメラウィンドウとカメラモジュールとのずれを抑制でき、カメラウィンドウの意匠とレンズバレルの外形開口部とのずれを防止できる。
【００２５】
実施の形態３．
本実施の形態１のカメラモジュール構造を搭載する携帯電話機１０１においては、カメラウィンドウ５とレンズバレル１３を一体成形した場合について示したが、本実施の形態３では、カメラレンズ機能を有するカメラウィンドウとレンズバレルを一体成形した場合について示す。
【００２６】
図６は、本実施の形態３におけるカメラモジュール構造を搭載する携帯電話機１０３のカメラモジュール５３の構成を示す断面拡大図である。図６において、実施の形態３は、実施の形態１の携帯電話機１０１で、カメラウィンドウ２１の一部にレンズ機能を付与するカメラレンズ形状部２１ａを備えたものである。
【００２７】
その他の構成に関しては、実施の形態１と同様であり、相当部分には図１と同一符号を付して説明を省略する。
【００２８】
以上のように、本実施の形態３では、カメラモジュール５２とカメラレンズ形状部２１ａを備えたカメラウィンドウ２１を一体部品としたので、外部からの塵埃の侵入を阻止することができるだけでなく、カメラモジュール内のカメラレンズの一部又は全部を省略でき、カメラモジュールの薄型化を図ることができる。
【図面の簡単な説明】
【００２９】
【図１】本発明に係るカメラモジュール構造の実施の形態１の携帯電話機の構成を示す外観斜視図である。
【図２】本発明に係るカメラモジュール構造の実施の形態１の携帯電話機の構成を示す分解斜視図である。
【図３】本発明に係るカメラモジュール構造の実施の形態１の構成を示す断面図である。
【図４】本発明に係るカメラモジュール構造の実施の形態１の構成を示す断面図である。
【図５】本発明に係るカメラモジュール構造の実施の形態２の構成を示す断面図である。
【図６】本発明に係るカメラモジュール構造の実施の形態３の構成を示す断面図である。
【符号の説明】
【００３０】
５  カメラウィンドウ
１２  ホルダ
１３  レンズバレル
１５  第一カメラレンズ
１６  第二カメラレンズ
１７  センサ
１８  基板
１９  フレキシブル基板
２０  カメラウィンドウ
２０ａ  意匠部
２１  カメラウィンドウ
５１、５２、５３  カメラモジュール
【図１】
2008283247.tif 000003
【図２】
2008283247.tif 000004
【図３】
2008283247.tif 000005
【図４】
2008283247.tif 000006
【図５】
2008283247.tif 000007
【図６】
2008283247.tif 000008